(57)【特許請求の範囲】
【請求項１】
地山を前方に掘削進行して形成されたトンネル坑内の粉塵発生箇所を含む粉塵発生空間を区画するトンネル坑用の遮蔽体であって、この遮蔽体は防塵シートと該防塵シートを支持する枠体とで構成され、前記防塵シートは透明材料で構成され、また、この遮蔽体はトンネル施工装置の運転席と前記粉塵発生箇所との間に着脱自在に設けられ、更に、この遮蔽体は前記トンネル施工装置の上方右側、上方左側、右側及び左側に分割配置されており、この上方右側の遮蔽体及び上方左側の遮蔽体は、トンネル長さ方向と直交するように配設され前記粉塵発生空間を区画する機能発揮状態から、互いが重合され前記粉塵発生空間を区画しない機能非発揮状態へ切り替え可能に構成され、また、右側の遮蔽体及び左側の遮蔽体は、トンネル長さ方向と直交するように配設され前記粉塵発生空間を区画する機能発揮状態から、前記トンネル施工装置の側面に添設され前記粉塵発生空間を区画しない機能非発揮状態へ切り替え可能に構成されていることを特徴とするトンネル坑用の遮蔽体。
【請求項２】
請求項１記載のトンネル坑用の遮蔽体において、前記粉塵発生箇所で生じる粉塵を含む含粉塵空気を吸引して前記粉塵発生空間の外に排気する粉塵除去装置と連通する連通部が設けられていることを特徴とするトンネル坑用の遮蔽体。
【請求項３】
請求項１，２いずれか１項に記載のトンネル坑用の遮蔽体において、前記防塵シートは、全部が透明材料で構成されていることを特徴とするトンネル坑用の遮蔽体。
【請求項４】
請求項１〜３いずれか１項に記載のトンネル坑用の遮蔽体において、前記トンネル施工装置は、コンクリート吹付装置であることを特徴とするトンネル坑用の遮蔽体。
【請求項５】
請求項１〜４いずれか１項に記載のトンネル坑用の遮蔽体において、前記枠体は、支柱と、この支柱によって支持される枠材と、この枠材を補強する桟とで構成されていることを特徴とするトンネル坑用の遮蔽体。
【請求項６】
請求項５記載のトンネル坑用の遮蔽体において、前記上方右側の遮蔽体及び上方左側の遮蔽体の枠体は、前記支柱の下端部が前記トンネル施工装置の嵌合凹部に夫々嵌合せしめられる嵌合凸部に設定されていることを特徴とするトンネル坑用の遮蔽体。
【請求項７】
請求項５，６いずれか１項に記載のトンネル坑用の遮蔽体において、前記左側の遮蔽体及び前記右側の遮蔽体の枠体は、前記支柱の中央部に前記トンネル施工装置の左側用及び右側用の嵌合凸部に夫々嵌合せしめられる嵌合凹部を形成した嵌合体が設けられていることを特徴とするトンネル坑用の遮蔽体。
【発明の詳細な説明】
【技術分野】
【０００１】
本発明は、トンネル坑用の遮蔽体に関するものである。
【背景技術】
【０００２】
地山を前方に掘削進行してトンネルを形成するトンネル形成工法には種々の工法があるが、いずれの工法においても粉塵が発生する場面があり、この粉塵の除去が問題となっている。
【０００３】
一例を挙げれば、発破や掘削機械などによって形成された掘削トンネル坑にコンクリート吹付作業を行う場合、大量のエアーによってセメントを吹き付けるために粒径の大きな塵埃を含む多量の粉塵が発生し、この粉塵が拡散してしまう。
【０００４】
このため、コンクリート吹付作業箇所の近くに湿式フィルターや乾式フィルターなどを利用した集塵機を配置して使用したり、また、セメントに粉塵抑制剤を混入したり、また、換気方法を工夫してみたりするなどの様々な対策が行われていたが、いずれも粉塵除去の決め手とはならないものであった。
【０００５】
そこで、出願人は、特開平１１−３２４５９７号公報（特許文献１）に記載されるように、粉塵がトンネル坑全体に拡散する前に効率良く除去可能なトンネル形成方法を提案している。
【０００６】
【特許文献１】特開平１１−３２４５９７号公報
【発明の開示】
【発明が解決しようとする課題】
【０００７】
本発明は、上記特許文献１をもとに、更なる安全性・作業性の向上を図るべく種々研究を行った結果完成したもので、粉塵がトンネル坑全体に拡散する前に効率良く除去し得るのは勿論、防塵シート越しに作業箇所の確認等を行える実用性に秀れトンネル坑用の蔽体を提供するものである。
【課題を解決するための手段】
【０００８】
添付図面を参照して本発明の要旨を説明する。
【０００９】
地山を前方に掘削進行して形成されたトンネル坑１内の粉塵発生箇所２を含む粉塵発生空間３を区画するトンネル坑用の遮蔽体Ｘであって、この遮蔽体Ｘは防塵シート４と該防塵シート４を支持する枠体５とで構成され、前記防塵シート４は透明材料で構成され、また、この遮蔽体Ｘはトンネル施工装置の運転席と前記粉塵発生箇所２との間に着脱自在に設けられ、更に、この遮蔽体Ｘは前記トンネル施工装置の上方右側、上方左側、右側及び左側に分割配置されており、この上方右側の遮蔽体Ｘａ及び上方左側の遮蔽体Ｘｂは、トンネル長さ方向と直交するように配設され前記粉塵発生空間３を区画する機能発揮状態から、互いが重合され前記粉塵発生空間３を区画しない機能非発揮状態へ切り替え可能に構成され、また、右側の遮蔽体Ｘｄ及び左側の遮蔽体Ｘｃは、トンネル長さ方向と直交するように配設され前記粉塵発生空間３を区画する機能発揮状態から、前記トンネル施工装置の側面に添設され前記粉塵発生空間３を区画しない機能非発揮状態へ切り替え可能に構成されていることを特徴とするトンネル坑用の遮蔽体に係るものである。
【００１０】
また、請求項１記載のトンネル坑用の遮蔽体において、前記粉塵発生箇所２で生じる粉塵を含む含粉塵空気を吸引して前記粉塵発生空間３の外に排気する粉塵除去装置６と連通する連通部８が設けられていることを特徴とするトンネル坑用の遮蔽体に係るものである。
【００１１】
また、請求項１，２いずれか１項に記載のトンネル坑用の遮蔽体において、前記防塵シート４は、全部が透明材料で構成されていることを特徴とするトンネル坑用の遮蔽体に係るものである。
【００１２】
また、請求項１〜３いずれか１項に記載のトンネル坑用の遮蔽体において、前記トンネル施工装置は、コンクリート吹付装置９であることを特徴とするトンネル坑用の遮蔽体に係るものである。
【００１３】
また、請求項１〜４いずれか１項に記載のトンネル坑用の遮蔽体において、前記枠体５は、支柱11と、この支柱11によって支持される枠材12と、この枠材12を補強する桟13とで構成されていることを特徴とするトンネル坑用の遮蔽体に係るものである。
【００１４】
また、請求項５記載のトンネル坑用の遮蔽体において、前記上方右側の遮蔽体Ｘａ及び上方左側の遮蔽体Ｘｂの枠体５は、前記支柱11の下端部が前記トンネル施工装置の嵌合凹部20に夫々嵌合せしめられる嵌合凸部16・17に設定されていることを特徴とするトンネル坑用の遮蔽体に係るものである。
【００１５】
また、請求項５，６いずれか１項に記載のトンネル坑用の遮蔽体において、前記左側の遮蔽体Ｘｃ及び前記右側の遮蔽体Ｘｄの枠体５は、前記支柱11の中央部に前記トンネル施工装置の左側用及び右側用の嵌合凸部21に夫々嵌合せしめられる嵌合凹部18・19を形成した嵌合体26が設けられていることを特徴とするトンネル坑用の遮蔽体に係るものである。
【発明の効果】
【００１６】
本発明は上述のように構成したから、粉塵発生空間に粉塵を閉じ込めて該粉塵がトンネル坑全体に拡散する前に効率良く除去することが可能となるのは勿論、防塵シートの透明部分から地山状況等の確認や、照明・測量等を行える実用性に秀れトンネル坑用の蔽体となる。
【発明を実施するための最良の形態】
【００１７】
好適と考える本発明の実施形態を、図面に基づいて本発明の作用を示して簡単に説明する。
【００１８】
粉塵発生箇所２から発生した粉塵は遮蔽体Ｘにより区画された粉塵発生空間３の外へ拡散することが防止される。従って、この粉塵発生空間３内の粉塵濃度が高いままの含粉塵空気を、例えばこの含粉塵空気を吸引して清浄化し粉塵発生空間３の外に排気する粉塵除去装置６によって除去することで、粉塵がトンネル坑３全体に拡散する前に極めて効率的に除去することが可能となる。
【００１９】
また、防塵シート４の少なくとも一部は透明であるから、この透明部分を介してコンクリート吹付作業の状況や地山状況を粉塵発生空間３に作業者が立ち入ることなく確認することが可能となり、作業者の粉塵吸引量を可及的に減少させることができる。
【００２０】
更に、粉塵発生空間３に照明設備や測量機械を設置することなく、透明部分を介して外部から照明や測量を行うことが可能となり、照明設備や測量機械を粉塵で汚すことがなく、これら照明設備や測量機械の保守がそれだけ容易となる。
【００２１】
よって、本発明は、粉塵がトンネル坑全体に拡散する前に効率良く除去し得るのは勿論、従来に比し安全性及び作業性を飛躍的に向上させることができる実用性に秀れトンネル坑用の蔽体となる。
【実施例】
【００２２】
本発明の具体的な実施例について図１〜６に基づいて説明する。
【００２３】
本実施例は、地山を前方に掘削進行して形成されたトンネル坑１内の粉塵発生箇所２を含む粉塵発生空間３を区画するように設置される遮蔽体Ｘであって、この遮蔽体Ｘは、防塵シート４と、該防塵シート４が張設される枠体５とで構成され、前記防塵シート４の少なくとも一部は透明材料で構成されているものである。
【００２４】
各部を具体的に説明する。
【００２５】
防塵シート４は、その全部が透明材料で構成されている。本実施例においては、内部に補強用の布製メッシュが入った樹脂製透明フィルムが採用されている。この防塵シート４は、ワイヤー41により鋼製の枠体５に固定される。
【００２６】
枠体５は、２本の支柱用鋼管11ａ・11ｂを連結鋼管15により防塵シート４の面方向と平行となるように並設して構成される支柱11と、該支柱11によって支持される枠材12と、該枠材12を補強する桟13とで構成されている。図中、符号14は、補強用部材である。
【００２７】
本実施例の遮蔽体Ｘは、図２中のトンネル坑１の上部右側及び左側（トンネル施工装置の上方右側及び上方左側）に対設される遮蔽体Ｘａ，Ｘｂ、（トンネル施工装置の）左側に配設される遮蔽体Ｘｃ、（トンネル施工装置の）右側に配設される一部に切欠窓を形成しこの切欠窓に上縁のみを止着した防塵シート４が設けられた遮蔽体Ｘｄの計４つを一組とした構成である。この４つの遮蔽体のうち、左側及び右側の遮蔽体Ｘｃ，Ｘｄは軸棒33を介して折曲可能に構成されている。即ち、左側及び右側の枠体５は、軸棒33を境として基端側と先端側とが蝶番（図示省略）を介して回動自在に連結され、先端側と基端側とを折畳み重合し得るように構成されている。
【００２８】
尚、防塵シート４としてはフィルム状や膜状のものに限らず、強化ガラス板や透明アクリル板等、板状のものを採用しても良いし、これらを併用しても良い。この場合、メッシュがない分だけ粉塵発生空間３内を見易くなる。また、枠体５として樹脂材等の透明材を採用しても良い。この場合、より作業者の視界を確保できることになる。
【００２９】
防塵シート４と前記枠体５とは、図１及び図２に図示したように、トンネル施工装置としてのコンクリート吹付装置９に着脱自在に設けられている。具体的には、図３及び図４に図示したようにコンクリート吹付装置９にして該コンクリート吹付装置９の運転席10と前記粉塵発生箇所２との間に設けられている。
【００３０】
従って、コンクリート吹付装置９を運転する作業者が粉塵発生空間３内にいる必要がなく、作業者が吸引する粉塵量は可及的に低減される。
【００３１】
尚、コンクリート吹付装置は上述のように運転席から操作するのではなく、例えばコンクリート吹き付け作業時に防塵シートの外側若しくはマスク等の防護措置を講じて粉塵発生空間内でリモコンで操作するものを採用しても良い。
【００３２】
また、遮蔽体Ｘは、粉塵発生空間３を区画せしめる機能発揮状態と、前記粉塵発生空間３を区画しない機能非発揮状態とに切替し得るように構成され、コンクリート吹付装置９に設けられている。即ち、機能を発揮する開状態と機能を発揮せずコンクリート吹付装置９に添設状態に収納される閉状態とに切り替えし得るように構成されている。
【００３３】
前記４つの遮蔽体の支柱11には、コンクリート吹付装置９に設けられた上部左側用，上部右側用，左側用及び右側用の嵌合凹部20若しくは嵌合凸部21と嵌合する嵌合部が設けられている。
【００３４】
具体的には、上部左側及び上部右側の枠体５は、図５に図示したように（図１及び図２のＡ部分）、支柱11（支柱用鋼管11ａ・11ｂ）の下端部が前記コンクリート吹付装置９の嵌合凹部20に夫々嵌合せしめられる嵌合凸部16・17に設定されている。
【００３５】
コンクリート吹付装置９の上部左側用及び上部右側用の嵌合凹部20としては、前記支柱用鋼管11ａ・11ｂが挿入可能な筒状鋼管が採用されている。この筒状鋼管は、片側に夫々３つずつ設けられており、この３つの筒状鋼管23，24，25は略Ｌ字状に配設されている。
【００３６】
この３つの筒状鋼管23，24，25は夫々、前記支柱用鋼管11ａ・11ｂ同士の間隔と略同間隔で配設されている。尚、図中、符号38は筒状鋼管固定用の固定枠、39は筒状鋼管が立設状態で固定される固定板である。
【００３７】
また、この３つの筒状鋼管23，24，25は、前記支柱用鋼管11ａ・11ｂを、筒状鋼管23・24に嵌合せしめた場合、防塵シート４がコンクリート吹付装置９の長さ方向と略直交するように配設され、また、筒状鋼管23・25に嵌合せしめた場合、防塵シート４がコンクリート吹付装置９の長さ方向と略平行になるように配設されている。
【００３８】
従って、遮蔽体Ｘをコンクリート吹付装置９に強固に取り付けることができ、しかも、筒状鋼管23・24に嵌合されている上部左側及び上部右側の遮蔽体Ｘの支柱11を該筒状鋼管23・24から抜き出し、筒状鋼管23・25に嵌合することで、粉塵発生空間３を区画せしめる機能発揮状態から、前記粉塵発生空間３を区画しない機能非発揮状態に簡単に切り替えることが可能となる。
【００３９】
また、左側及び右側の枠体５は、図６に図示したように（図１及び図２のＢ部分）、支柱11の中央部（長さ方向略中央位置）に、前記コンクリート吹付装置９の左側用及び右側用の嵌合凸部21に夫々嵌合せしめられる嵌合凹部18・19を形成した鋼製の嵌合体26が設けられている。
【００４０】
前記嵌合凸部21としては、前記嵌合体26の嵌合凹部18・19に挿入可能な棒状鋼管が採用されている。この棒状鋼管は、片側に夫々３つずつ設けられており、この３つの棒状鋼管27・28・29は略Ｌ字状に配設されている。
【００４１】
この３つの棒状鋼管27・28・29は夫々、前記左側及び右側の嵌合体26に設けられた嵌合凹部18・19同士の間隔と略同間隔で配設されている。尚、図中、符号40は棒状鋼管が立設状態で固定される固定体である。
【００４２】
また、この３つの棒状鋼管27・28・29は、前記嵌合体26の嵌合凹部18・19を、棒状鋼管27・28に嵌合せしめた場合、防塵シート４がコンクリート吹付装置９の長さ方向と略直交するように配設され、また、棒状鋼管27・29に嵌合せしめた場合、防塵シート４がコンクリート吹付装置９の長さ方向と略平行になるように配設されている。
【００４３】
従って、遮蔽体Ｘをコンクリート吹付装置９に強固に取り付けることができ、しかも、棒状鋼管27・28に嵌合されている左側及び右側の遮蔽体Ｘの嵌合体26を該棒状鋼管27・28から抜き出し、棒状鋼管27・29に嵌合することで、粉塵発生空間３を区画せしめる機能発揮状態から、前記粉塵発生空間３を区画しない機能非発揮状態に簡単に切り替えることが可能となる。
【００４４】
また、棒状鋼管27・28・29は、棒状鋼管27の長さが２つの棒状鋼管28・29より長く設定されている。従って、嵌合体26の嵌合凹部19から一方の棒状鋼管28・29のみを抜いて、嵌合凹部18に嵌合されている棒状鋼管27を軸として嵌合体26を水平方向に回動させ、嵌合凹部19を他方の棒状鋼管28・29に嵌合するだけで遮蔽体Ｘを粉塵発生空間３を区画する機能発揮状態から、前記粉塵発生空間３を区画しない機能非発揮状態に簡単に切り替えることができる。
【００４５】
尚、本実施例においては、機能発揮状態と機能非発揮状態とを切り替える構成として上述の構成を採用しているが、例えば、支柱に対して防塵シート４を回動可能な状態で枢着する蝶番結合やボール結合、支柱を回転可能な状態で支持する軸回転結合等を用いて水平方向や鉛直方向に回動自在に設ける構成等、他の構成を採用しても良い。
【００４６】
また、遮蔽体Ｘには、前記粉塵発生箇所２で生じる粉塵を含む含粉塵空気を吸引して前記粉塵発生空間３の外に排気する粉塵除去装置６と連通する連通部８が設けられている。
【００４７】
具体的には、右側の防塵シート４の一部はフィルムに切欠窓が形成され、この切欠窓に上縁のみを止着した防塵シート４が設けられ、この上縁のみ止着した防塵シート４をめくり上げることで連通部８が形成される。従って、この連通部８を介して例えば粉塵除去装置６により含粉塵空気を吸引することで粉塵を除去することができる。
【００４８】
また、遮蔽体Ｘは、トンネル坑１に配設した際、該遮蔽体Ｘとトンネル坑１の内周壁との間に所定間隙30を有するように配設される。従って、前記粉塵除去装置６により粉塵発生空間３内の含粉塵空気を吸引した際、この粉塵発生空間３内が負圧となり、粉塵発生空間３外から清浄な空気がこの間隙30から粉塵発生空間３内に流入することになり、粉塵発生空間３から間隙30を通じて含粉塵空気が外部に漏出することが可及的に阻止できる。
【００４９】
図中、符号32は既にトンネル坑の内周壁31に吹き付けられたコンクリートに形成されたトンネル補強壁、42はコンクリート吹付装置にコンクリートを供給するコンクリート供給装置、34はコンクリート吹付装置９に付設されたコンクリートを吹き付けるノズル、36は粉塵除去装置６が積載される車両である。
【００５０】
尚、コンクリート吹付装置９，粉塵除去装置６及びコンクリート供給装置33はいずれも車載型であり、トンネル坑１内を容易に移動可能で、発破などによってトンネル坑１を更に掘削進行する場合や、トンネル補強壁32にコンクリートブロック37を配設してトンネル坑１を完成させる場合には邪魔にならない位置に容易に退避させることができる。
【００５１】
以下、作業工程について更に詳述する。
【００５２】
粉塵発生箇所２は、コンクリート吹付作業箇所２であり、大量のエアーによってセメント小砂利や水や薬剤などの混合物（コンクリート吹付原料）をトンネル坑１の内周壁31に吹き付ける作業をコンクリート吹付装置９により行っており、粒径の大きな粉塵（小砂利）やミスト状の粉塵などが混じった大量の粉塵が発生している。
【００５３】
コンクリート吹付装置９，粉塵除去装置６及びコンクリート供給装置33をトンネル坑１の所定の位置に配設する。
【００５４】
続いて、コンクリート吹付装置９に付設された各遮蔽体Ｘを機能発揮状態としてトンネル長さ方向に対して直交するように配置してコンクリート吹付作業箇所２を含む粉塵発生空間３を区画する。
【００５５】
尚、本実施例ではコンクリート吹付作業箇所２をトンネル坑１の切羽35寄りで行う為、粉塵発生空間３がトンネル坑１の内周壁31とトンネル坑１の切羽35と遮蔽体Ｘとにより区画されることになるが、トンネル坑１の中間部付近などで粉塵発生作業を行う場合には本実施例の２つの遮蔽体とトンネル坑１の内周壁31とで粉塵発生空間３を区画するようにしても良いし、遮蔽体Ｘを粉塵発生空間を囲繞することで区画するようにしても良い。また、トンネル坑１を掘削推進する掘削機等は、コンクリート吹付作業箇所２外に移動せしめておく。
【００５６】
続いて、コンクリート吹付装置９によりトンネル坑１の内周壁31にコンクリート吹き付け作業を行い、また、粉塵除去装置６により粉塵発生空間３内の含粉塵空気を吸い出して粉塵除去作業を行う。この際、右側の遮蔽体Ｘには、粉塵発生空間３内の含粉塵空気を粉塵発生空間３の外に放出する粉塵除去装置６の吸引口７と連通する連通部８（ダクト部）が設けられているから、粉塵発生空間３内の含粉塵空気は該ダクト部を通過して粉塵除去装置６に達し、該粉塵除去装置６により粉塵を除去されて清浄な空気となり、粉塵発生空間３外へ放出される。
【００５７】
この粉塵除去装置６による含粉塵空気の吸い出し量は、コンクリート吹付装置９による吹付コンクリート量とエアー量の総和量より多く設定する。従って、粉塵発生空間３内には本実施例の遮蔽体Ｘとトンネル坑１の内周壁31との間隙30から清浄な空気が導入されることになり、この空気の流れによって粉塵発生空間３内の含粉塵空気が前記間隙30から漏出したりせず、また、粉塵発生空間３内と粉塵発生空間３外とに圧力差が発生したりせず、良好に含粉塵空気の吸い出しを行えることになる。
【００５８】
その後、前記コンクリート吹付装置９，粉塵除去装置６及びコンクリート供給装置33をトンネル坑１の切羽35付近から移動せしめ、再び掘削機等をトンネル坑１の切羽35付近に移動せしめて掘削を再開する。
【００５９】
尚、本実施例は上述のようにコンクリート吹付装置９に本実施例の遮蔽体Ｘを付設した場合について説明したが、他の装置に設けたり、遮蔽体単独で用いても良いのは勿論である。
【００６０】
本実施例は上述のように構成したから、粉塵発生箇所２から発生した粉塵は遮蔽体Ｘにより区画された粉塵発生空間３の外へ拡散することが防止される。従って、この粉塵発生空間３内の粉塵濃度が高いままの含粉塵空気を、例えばこの含粉塵空気を吸引して清浄化し粉塵発生空間３の外に排気する粉塵除去装置６によって除去することで、粉塵がトンネル坑３全体に拡散する前に極めて効率的に除去することが可能となる。
【００６１】
また、遮蔽体Ｘをトンネル長さ方向と直交するように配設するだけで極めて簡便に粉塵発生空間３を区画することができる。
【００６２】
また、防塵シート４が透明であるからこの防塵シート４を介してコンクリート吹付作業の状況や地山状況を粉塵発生空間３に作業者が立ち入ることなく、良好に確認することが可能となり、作業者の粉塵吸引量を可及的に減少させることができる。
【００６３】
従って、防塵シート４が作業者の視界の妨げとなりにくく、移動時等にこの防塵シート４を取り外すことも小さく折畳む必要もなく、外方に突出しないようにコンクリート吹付装置９に沿設するだけで良く、極めて作業性に秀れたものとなる。
【００６４】
更に、粉塵発生空間３に照明設備や測量機械を設置することなく、防塵シート４越しに粉塵発生空間３外から照明や測量を行うことが可能となり、照明設備や測量機械を粉塵で汚すことがなく、これら照明設備や測量機械の保守がそれだけ容易となる。
【００６５】
よって、本実施例は、粉塵がトンネル坑全体に拡散する前に効率良く除去し得るのは勿論、従来に比し安全性及び作業性を飛躍的に向上させることができる実用性に秀れた遮蔽体となる。
【図面の簡単な説明】
【００６６】
【図１】本実施例の概略説明斜視図である。
【図２】本実施例の粉塵発生箇所側から見た概略説明正面図である。
【図３】本実施例の概略説明側面図である。
【図４】本実施例の概略説明側面図である。
【図５】図１及び図２のＡ部分の拡大概略説明斜視図である。
【図６】図１及び図２のＢ部分の拡大概略説明斜視図である。
【符号の説明】
【００６７】
１  トンネル坑
２  粉塵発生箇所
３  粉塵発生空間
４  防塵シート
５  枠体
６  粉塵除去装置
８  連通部
９  コンクリート吹付装置
11 支柱
12 枠材
13 桟
16・17 嵌合凸部
18・19・20 嵌合凹部
21 嵌合凸部
26 嵌合体
Ｘ  遮蔽体
【図１】
0004754381.tif 000002
【図２】
0004754381.tif 000003
【図３】
0004754381.tif 000004
【図４】
0004754381.tif 000005
【図５】
0004754381.tif 000006
【図６】
0004754381.tif 000007